(57)【特許請求の範囲】
【請求項１】
監視エリアの物理的現象を検出して出力するセンサ部と、
警報音と表示により異常警報を出力する報知部と、
警報停止操作手段を備えた操作部と、
前記センサ部の検出出力による異常の有無及び前記操作部による停止操作を含むイベントを検出するイベント検出部と、
前記イベント検出部で検出したイベントを示すイベント信号を他の警報器へ送信する送信処理部と、
他の警報器からのイベント信号を受信する受信処理部と、
前記イベント検出部で異常を検出したときに、前記報知部からの警報音と表示により連動元を示す異常警報を出力させると共に、異常を示すイベント信号を他の警報器へ送信させ、一方、他の警報器から異常を示すイベント信号を受信したときに、前記報知部からの警報音と表示により連動先を示す異常警報を出力させる警報処理部と、
を設けた警報器に於いて、
更に警報停止部を設け、前記警報停止部は、
前記連動元を示す異常警報の出力中に、前記操作部による警報停止操作を検出した場合、前記連動元を示す警報音を停止させると共に表示を継続させ、更に、警報停止を示すイベント信号を他の警報器へ送信させ、
前記連動元を示す異常警報の出力中に、他の警報器から警報停止を示すイベント信号を受信した場合、前記連動元を示す警報音を継続させると共に表示を継続または停止させ、
前記連動先を示す異常警報の出力中に、前記操作部による警報停止操作を検出した場合、前記連動先を示す警報音を停止させると共に表示を継続させ、更に、警報停止を示すイベント信号を他の警報器へ送信させ、
前記連動先を示す異常警報の出力中に、連動元の警報器から警報停止を示すイベント信号を受信した場合、前記連動先を示す警報音と表示を停止させ、更に、
前記連動先を示す異常警報の出力中に、連動先の警報器から警報停止を示すイベント信号を受信した場合、前記連動先を示す警報音を停止させると共に表示を継続させることを特徴とする警報器。
【請求項２】
監視エリアの物理的現象を検出して出力するセンサ部と、
警報音と表示により異常警報を出力する報知部と、
警報停止操作手段を備えた操作部と、
前記センサ部の検出出力による異常の有無及び前記操作部による停止操作を含むイベントを検出するイベント検出部と、
前記イベント検出部で検出したイベントを示すイベント信号を他の警報器へ送信する送信処理部と、
他の警報器からのイベント信号を受信する受信処理部と、
前記イベント検出部で異常を検出したときに、前記報知部からの警報音と表示により連動元を示す異常警報を出力させると共に、異常を示すイベント信号を他の警報器へ送信させ、一方、他の警報器から異常を示すイベント信号を受信したときに、前記報知部からの警報音と表示により連動先を示す異常警報を出力させる警報処理部と、
を設けた警報器に於いて、
更に警報停止部を設け、前記警報停止部は、
前記連動元を示す異常警報の出力中に、前記操作部による警報停止操作を検出した場合、前記連動元を示す警報音を停止させると共に表示を継続させ、更に、警報停止を示すイベント信号を他の警報器へ送信させ、
前記連動元を示す異常警報の出力中に、他の警報器から警報停止を示すイベント信号を受信した場合、前記連動元を示す警報音を継続させると共に表示を継続または停止させ、
前記連動先を示す異常警報の出力中に、前記操作部による警報停止操作を検出した場合、前記連動先を示す警報音と表示を停止させ、更に、警報停止を示すイベント信号を他の警報器へ送信させ、
前記連動先を示す異常警報の出力中に、連動元の警報器から警報停止を示すイベント信号を受信した場合、前記連動先を示す警報音と表示を停止させ、更に、
前記連動先を示す異常警報の出力中に、連動先の警報器から警報停止を示すイベント信号を受信した場合、前記連動先を示す警報音を停止させると共に表示を継続させることを特徴とする警報器。
【請求項３】
請求項１又は２記載の警報器に於いて、前記警報停止部は、前記操作部による警報停止操作を検出したとき又は他の警報器から警報停止を示すイベント信号を受信したときに継続した連動元を示す警報音及び表示を、所定時間経過したときに停止することを特徴とする警報器。
【請求項４】
請求項１又は２記載の警報器に於いて、前記警報停止部は、連動元を示す表示色と連動先を示す表示色を異ならせたことを特徴とする警報器。
【請求項５】
警戒エリアに、異常を検出して警報音と表示により異常警報を出力する警報器を複数配置した警報システムに於いて、
前記警報器の各々に、警報処理部と警報停止部を設け、
前記警報処理部は、
異常を検出したときに、警報音と表示により連動元を示す異常警報を出力させると共に、異常を示すイベント信号を他の警報器へ送信し、
他の警報器から異常を示すイベント信号を受信したときに、警報音と表示により連動先を示す異常警報を出力し、
前記警報停止部は、
前記連動元を示す異常警報の出力中に、自己の警報停止操作を検出した場合、前記連動元を示す警報音を停止すると共に表示を継続し、更に、警報停止を示すイベント信号を他の警報器へ送信し、
前記連動元を示す異常警報の出力中に、他の警報器から警報停止を示すイベント信号を受信した場合、前記連動元を示す警報音を継続すると共に表示を継続または停止し、
前記連動先を示す異常警報の出力中に、自己の警報停止操作を検出した場合、前記連動先を示す警報音を停止すると共に表示を継続し、更に、警報停止を示すイベント信号を他の警報器へ送信し、
前記連動先を示す異常警報の出力中に、連動元の警報器から警報停止を示すイベント信号を受信した場合、前記連動先を示す警報音と表示を停止し、更に、
前記連動先を示す異常警報の出力中に、連動先の警報器から警報停止を示すイベント信号を受信した場合、前記連動先を示す警報音を停止すると共に表示を継続することを特徴とする警報システム。
【請求項６】
警戒エリアに、異常を検出して警報音と表示により異常警報を出力する警報器を複数配置した警報システムに於いて、
前記警報器の各々に、警報処理部と警報停止部を設け、
前記警報処理部は、
異常を検出したときに、警報音と表示により連動元を示す異常警報を出力すると共に、異常を示すイベント信号を他の警報器へ送信し、
他の警報器から異常信号を受信したときに、警報音と表示によるり連動先を示す異常警報を出力し、
前記警報停止部は、
前記連動元を示す異常警報の出力中に、自己の警報停止操作を検出した場合、前記連動元を示す警報音を停止すると共に表示を継続し、更に、警報停止を示すイベント信号を他の警報器へ送信し、
前記連動元を示す異常警報の出力中に、他の警報器から警報停止を示すイベント信号を受信した場合、前記連動元を示す警報音を継続すると共に表示を継続または停止し、
前記連動先を示す異常警報の出力中に、自己の警報停止操作を検出した場合、前記連動先を示す警報音と表示を停止し、更に、警報停止を示すイベント信号を他の警報器へ送信し、
前記連動先を示す異常警報の出力中に、連動元の警報器から警報停止を示すイベント信号を受信した場合、前記連動先を示す警報音と表示を停止し、更に、
前記連動先を示す異常警報の出力中に、連動先の警報器から警報停止を示すイベント信号を受信した場合、前記連動先を示す警報音を停止すると共に表示を継続することを特徴とする警報システム。
【請求項７】
請求項５又は６記載の警報システムに於いて、前記警報停止部は、連動元を示す表示色と連動先を示す表示色を異ならせたことを特徴とする警報システム。
【請求項８】
警戒エリアに、異常を検出して警報音と表示により異常警報を出力する警報器を複数配置し、異常を検出した警報器は警報音と表示により連動元を示す異常警報を出力すると共に、他の警報器に異常信号を送信して警報音と表示により連動先を示す異常警報を出力させる警報システムに於いて、
警報中は、連動元の警報器と連動先の警報器で異なる表示を行い、
連動元の警報器による警報停止操作後は、連動元の警報器で所定期間何らかの表示を行い、連動先の警報器で前記所定期間を待たずに表示を停止し、
連動先の警報器による警報停止操作後は、連動元の警報器で何らかの表示を行い、連動先の警報器で所定期間何らの表示を行うことを特徴とする警報システム。
【発明の詳細な説明】
【技術分野】
【０００１】
本発明は、火災やガス漏れなどの異常を検出して警報すると共に他の警報器に信号を中継送信して警報を連動出力させる警報器及び警報システムに関する。
【背景技術】
【０００２】
従来、住宅における火災を検出して警報する住宅用警報器（以下「住警器」という）が普及しており、近年にあっては、複数の住警器を相互に通信させ、１つの住警器の異常情報を他の警報器でも警報できる連動型警報システム向けの無線式住警器が実用化されており、これらの中には電池電源によって動作するものがある。
【０００３】
無線通信を行う連動型の警報システムにあっては、ある住警器で火災を検出した場合、火災を検出した連動元の住警器は、例えば「ウーウー火災警報器が作動しました  確認してください」との音声メッセージを出力し、一方、連動先の住警器では「ウーウー別の火災警報器が作動しました  確認してください」という音声メッセージを出力するようにしている。また、連動元の住警器の表示灯は点灯とし、連動先の住警器の表示灯は点滅とし、表示灯の表示からも連動元か連動先かが区別できるようにしている。
【０００４】
また、連動元と連動先の住警器で警報が行われた場合、住警器に設けている警報停止スイッチを操作すると、操作した住警器の警報を停止することができるようにしている。
【先行技術文献】
【特許文献】
【０００５】
【特許文献１】特開２００７−０９４７１９号公報
【発明の概要】
【発明が解決しようとする課題】
【０００６】
しかしながら、このような従来の連動警報を行う無線式の住警器にあっては、連動元と連動先の住警器で警報が行われた場合に、警報を停止したい場合には、住警器毎に警報停止操作を必要とし、警報停止操作が煩雑になるという問題がある。
【０００７】
この問題を解決するためには、任意の住警器で警報停止操作を行った場合、連動関係にある全ての住警器の警報を一斉に停止することも考えられるが、全ての警報を停止してしまうと、火災を検出した連動元の警報器がどれか分からず、消火後の火元の特定や、誤報又は非火災報を発した住警器の特定が困難になるという問題がある。
【０００８】
本発明は、火災などの異常を検出して連動元と連動先で行った警報の停止操作を容易にすると共に警報停止を行っても連動元が容易に分かるようにした警報器及び警報システムを提供することを目的とする。
【課題を解決するための手段】
【０００９】
（警報器）
本発明は、
監視エリアの物理的現象を検出して出力するセンサ部と、
警報音と表示により異常警報を出力する報知部と、
警報停止操作手段を備えた操作部と、
センサ部の検出出力による異常の有無及び操作部による停止操作を含むイベントを検出するイベント検出部と、
イベント検出部で検出したイベントを示すイベント信号を他の警報器へ送信する送信処理部と、
他の警報器からのイベント信号を受信する受信処理部と、
イベント検出部で異常を検出したときに、報知部からの警報音と表示により連動元を示す異常警報を出力させると共に、異常を示すイベント信号を他の警報器へ送信させ、一方、他の警報器から異常を示すイベント信号を受信したときに、報知部からの警報音と表示により連動先を示す異常警報を出力させる警報処理部と、
を設けた警報器に於いて、
更に警報停止部を設け、警報停止部は、
連動元を示す異常警報の出力中に、操作部による警報停止操作を検出した場合、連動元を示す警報音を停止させると共に表示を継続させ、更に、警報停止を示すイベント信号を他の警報器へ送信させ、
連動元を示す異常警報の出力中に、他の警報器から警報停止を示すイベント信号を受信した場合、連動元を示す警報音を継続させると共に表示を継続または停止し、
連動先を示す異常警報の出力中に、操作部による警報停止操作を検出した場合、連動先を示す警報音を停止させると共に表示を継続させ、更に、警報停止を示すイベント信号を他の警報器へ送信させ、
連動先を示す異常警報の出力中に、連動元の警報器から警報停止を示すイベント信号を受信した場合、連動先を示す警報音と表示を停止させ、更に、
連動先を示す異常警報の出力中に、連動先の警報器から警報停止を示すイベント信号を受信した場合、連動先を示す警報音を停止させると共に表示を継続させることを特徴とする。
【００１０】
本発明の別の形態にあっては、
監視エリアの物理的現象を検出して出力するセンサ部と、
警報音と表示により異常警報を出力する報知部と、
警報停止操作手段を備えた操作部と、
センサ部の検出出力による異常の有無及び操作部による停止操作を含むイベントを検出するイベント検出部と、
イベント検出部で検出したイベントを示すイベント信号を他の警報器へ送信する送信処理部と、
他の警報器からのイベント信号を受信する受信処理部と、
イベント検出部で異常を検出したときに、報知部からの警報音と表示により連動元を示す異常警報を出力させると共に、異常を示すイベント信号を他の警報器へ送信させ、一方、他の警報器から異常を示すイベント信号を受信したときに、報知部からの警報音と表示により連動先を示す異常警報を出力させる警報処理部と、
を設けた警報器に於いて、
更に警報停止部を設け、警報停止部は、
連動元を示す異常警報の出力中に、操作部による警報停止操作を検出した場合、連動元を示す警報音を停止させると共に表示を継続させ、更に、警報停止を示すイベント信号を他の警報器へ送信させ、
連動元を示す異常警報の出力中に、他の警報器から警報停止を示すイベント信号を受信した場合、連動元を示す警報音を継続させると共に表示を継続または停止させ、
連動先を示す異常警報の出力中に、操作部による警報停止操作を検出した場合、連動先を示す警報音と表示を停止させ、更に、警報停止を示すイベント信号を他の警報器へ送信させ、
連動先を示す異常警報の出力中に、連動元の警報器から警報停止を示すイベント信号を受信した場合、連動先を示す警報音と表示を停止させ、更に、
連動先を示す異常警報の出力中に、連動先の警報器から警報停止を示すイベント信号を受信した場合、連動先を示す警報音を停止させると共に表示を継続させることを特徴とする。
【００１１】
ここで、警報停止部は、操作部による警報停止操作を検出したとき又は他の警報器から警報停止を示すイベント信号を受信したときに継続した連動元を示す警報音及び表示を、所定時間経過したときに停止する。また、警報停止部は、連動元を示す表示色と連動先を示す表示色を異ならせる。
【００１２】
（システム）
本発明は、警戒エリアに、異常を検出して警報音と表示により異常警報を出力する警報器を複数配置した警報システムに於いて、
警報器の各々に、警報処理部と警報停止部を設け、
警報処理部は、
異常を検出したときに、警報音と表示により連動元を示す異常警報を出力させると共に、異常を示すイベント信号を他の警報器へ送信し、
他の警報器から異常を示すイベント信号を受信したときに、警報音と表示により連動先を示す異常警報を出力し、
警報停止部は、
連動元を示す異常警報の出力中に、自己の警報停止操作を検出した場合、連動元を示す警報音を停止すると共に表示を継続し、更に、警報停止を示すイベント信号を他の警報器へ送信し、
連動元を示す異常警報の出力中に、他の警報器から警報停止を示すイベント信号を受信した場合、連動元を示す警報音を継続すると共に表示を継続または停止し、
連動先を示す異常警報の出力中に、自己の警報停止操作を検出した場合、連動先を示す警報音を停止すると共に表示を継続し、更に、警報停止を示すイベント信号を他の警報器へ送信し、
連動先を示す異常警報の出力中に、連動元の警報器から警報停止を示すイベント信を受信した場合、連動先を示す警報音と表示を停止し、更に、
連動先を示す異常警報の出力中に、連動先の警報器から警報停止を示すイベント信号を受信した場合、連動先を示す警報音を停止すると共に表示を継続する。
【００１３】
本発明の別の形態にあっては、警戒エリアに、異常を検出して警報音と表示により異常警報を出力する警報器を複数配置した警報システムに於いて、
警報器の各々に、警報処理部と警報停止部を設け、
警報処理部は、
異常を検出したときに、警報音と表示により連動元を示す異常警報を出力すると共に、異常を示すイベント信号を他の警報器へ送信し、
他の警報器から異常信号を受信したときに、警報音と表示により連動先を示す異常警報を出力し、
警報停止部は、
連動元を示す異常警報の出力中に、自己の警報停止操作を検出した場合、連動元を示す警報音を停止すると共に表示を継続し、更に、警報停止を示すイベント信号を他の警報器へ送信し、
連動元を示す異常警報の出力中に、他の警報器から警報停止を示すイベント信号を受信した場合、連動元を示す警報音を継続すると共に表示を継続または停止し、
連動先を示す異常警報の出力中に、自己の警報停止操作を検出した場合、連動先を示す警報音と表示を停止し、更に、警報停止を示すイベント信号を他の警報器へ送信し、
連動先を示す異常警報の出力中に、連動元の警報器から警報停止を示すイベント信号を受信した場合、連動先を示す警報音と表示を停止し、更に、
連動先を示す異常警報の出力中に、連動先の警報器から警報停止を示すイベント信号を受信した場合、連動先を示す警報音を停止すると共に表示を継続することを特徴とする。
【００１４】
更に、本発明の別の形態にあっては、警戒エリアに、異常を検出して警報音と表示により異常警報を出力する警報器を複数配置し、異常を検出した警報器は警報音と表示により連動元を示す異常警報を出力すると共に、他の警報器に異常信号を送信して警報音と表示により連動先を示す異常警報を出力させる警報システムに於いて、
警報中は、連動元の警報器と連動先の警報器で異なる表示を行い、
連動元の警報器による警報停止操作後は、連動元の警報器で所定期間何らかの表示を行い、連動先の警報器で所定期間を待たずに表示を停止し、
連動先の警報器による警報停止操作後は、連動元の警報器で何らかの表示を行い、連動先の警報器で所定期間何らの表示を行うことを特徴とする。
【発明の効果】
【００１５】
本発明によれば、火災などの異常を検出して複数の警報器で連動警報が行われた場合、連動警報を出しているいずれかの警報器で警報停止操作を行うと、連動元の警報音と警報表示はそのまま継続し、連動先を示す警報音を一斉に停止し、これによって警報器毎での警報停止操作を不要とし、また警報停止操作で連動先の警報音が停止しても、連動元の警報器については、警報音及び警報表示は継続されているため、消火後の火元の特定や、誤報又は非火災報を発した住警器の特定を容易に行うことができる。
【００１６】
またいずれかの警報器での警報停止操作によって連動先の警報音は全て停止するが、連動先の警報表示を停止せずに継続させておくことで、たとえば連動元の警報音が聞こえない場所に設置された連動先の警報器において、連動元の警報器が引き続き警報中であることを知ることができる。
【図面の簡単な説明】
【００１７】
【図１】本発明による無線式の住警器の外観を示した説明図
【図２】住宅に対する本発明の警報システムの設置状態を示した説明図
【図３】本実施形態における火災検出時の連動警報と連動元で警報停止操作した後の連動警報を示した説明図
【図４】連動先で警報停止操作した後の連動警報を示した説明図
【図５】本発明における異常検出時と警報停止操作時の警報と表示を連動元と連動先に分けてリスト形式で示した説明図
【図６】図２の警報システムに設けた火災を検出して警報する住警器の実施形態を示したブロック図
【図７】本実施形態で使用するイベント信号のフォーマットを示した説明図
【図８】図６の住警器による火災監視処理を示したフローチャート
【図９】連動元と連動先の表示色を異ならせた無線式住警器の実施形態を示した説明図
【図１０】図９の実施形態における火災検出時の連動警報と警報停止操作後の連動警報を警示した説明図
【図１１】図９の実施形態において連動先で警報停止操作した後の連動警報を示した説明図
【発明を実施するための形態】
【００１８】
図１は本発明による無線式の住警器の外観を示した説明図であり、図１（Ａ）に正面図を、図１（Ｂ）に側面図を示している。
【００１９】
図１において、本実施形態の住警器１０はカバー１２と本体１４で構成されている。カバー１２の中央には、周囲に煙流入口を開口し、その内部には検煙部１６が配置され、火災による煙が所定濃度に達したときに火災を検出するようにしている。
【００２０】
カバー１２に設けた検煙部１６の左下側には音響穴１８が設けられ、この背後にブザーやスピーカを内蔵し、警報音や音声メッセージを出力できるようにしている。検煙部１６の下側には警報停止スイッチ２０が設けられている。警報停止スイッチ２０は住警器の機能点検を指示する点検スイッチとしての機能を兼ねている。たとえば、火災警報時に警報停止スイッチ２０が操作されると警報を停止し、通常状態で警報停止スイッチ２０が操作されると機能点検を開始して結果を報知する。
【００２１】
警報停止スイッチ２０は、半透明部材で形成されたスイッチカバーと、スイッチカバーの内部に配置されたタクトスイッチ（図示せず）とで構成されている。スイッチカバー内部のタクトスイッチ近傍には、点線で示すように表示を行うＬＥＤ２２が配置されており、ＬＥＤ２２が点灯すると、警報停止スイッチ２０のスイッチカバーの部分を透過してＬＥＤ２２の点灯状態が外部から分かるようにしている。
【００２２】
また本体１４の裏側上部には取付フック１５が設けられており、設置する部屋の壁にビスなどをねじ込み、この取付フック１５をビスに通すことで、壁面に住警器１０を設置することができる。
【００２３】
なお図１の住警器１０にあっては、検煙部１６を備えた火災による煙を検出する住警器を例に取っているが、これ以外に火災による熱を検出するサーミスタ等の温度検出素子を備えた住警器や火災に伴うその他の物理現象を検出する住警器、火災以外にガス漏れを検出する警報器、侵入者や地震その他の異常を検出する各種の警報器、これらを組み合わせて成る警報器についても、本発明の対象に含まれる。
【００２４】
図２は住宅に対する本実施形態の警報システムの設置状態を示した説明図である。図２の例にあっては、住宅２４に設けられている台所、居間、主寝室、子供部屋のそれぞれに本実施形態の火災を検出して警報する住警器１０−１〜１０−４が設置され、更に屋外に建てられたガレージ２６にも住警器１０−５が設置されている。
【００２５】
住警器１０−１〜１０−５は、イベント信号を無線により相互に送受信する機能を備え、住宅全体の火災監視を行っている。
【００２６】
いま住宅２４の子供部屋で万一、火災が発生したとすると、住警器１０−４が火災を検出して警報を開始する。この火災を検出して警報を開始することを、住警器における「発報」という。住警器１０−４が発報すると、住警器１０−４は連動元として機能し、連動先となる他の住警器１０−１〜１０−３，１０−５に対し、火災発報を示すイベント信号を無線により送信する。他の住警器１０−１〜１０−３，１０−５は、連動元の住警器１０−４からの火災発報を示すイベント信号を受信した場合に、警報音と表示により連動先としての警報動作を行う。
【００２７】
ここで連動元となった住警器１０−４の警報音としては、例えば音声メッセージにより「ウーウー  火災警報器が作動しました  確認してください」を出力する。一方、連動先の住警器１０−１〜１０−３，１０−５にあっては、「ウーウー  別の火災警報器が作動しました  確認してください」といった音声メッセージを出力する。
【００２８】
また連動元となった住警器１０−４の表示としては、例えばＬＥＤ２２を例えば点灯させる（第1の表示）。一方、連動先の住警器１０−１〜１０−３，１０−５にあっては、ＬＥＤ２２を点滅させる（第２の表示）。これによって、連動元警報と連動先警報におけるＬＥＤ５０による表示を区別できるようにしている。
【００２９】
なお、連動元のＬＥＤ２２を点滅（第１の表示）とし、連動先のＬＥＤ２２を点灯（第２の表示）としても良いし、連動元警報と連動先警報のいずれについても、同じＬＥＤ２２の明滅または点滅、点灯表示であっても良い。
【００３０】
住警器１０−１〜１０−５が警報音を出している状態で、いずれかの警報停止スイッチを操作すると、警報音や表示の停止処理が行われる。
【００３１】
図３は本実施形態における警報停止を示している。本実施形態にあっては、連動警報中に連動元の警報停止スイッチが操作されたときは、連動元の警報音、連動先の警報音、連動先の表示を停止し、連動元について何らかの表示を少なくとも所定期間行う。一方、連動警報中に任意の連動先の警報停止スイッチが操作されたときは、全ての連動先の警報音を停止し、連動元の警報音を維持し、連動先について少なくとも所定期間、何らかの表示を行う。
【００３２】
図３（Ａ）は連動関係にある住警器１０−１〜１０−５の中の住警器１０−１が火災を検出し、住警器１０−１が警報音とＬＥＤ２２をたとえば点灯（第１の表示）する表示により連動元を示す火災警報を行い、残りの住警器１０−２〜１０−５が警報音とＬＥＤ２２をたとえば点滅する表示により連動先を示す火災警報を行っている。
【００３３】
この連動警報の状態で、連動元の住警器１０−１に設けている警報停止スイッチ２０を操作すると、図３（Ｂ）に示すように、連動元の住警器１０−１で行っている警報音を停止するが、ＬＥＤ２２の点灯（第１の表示）による表示は所定期間継続する。また連動先の住警器１０−２〜１０−５で行っている警報音と表示は停止する。
【００３４】
このように、連動元では点灯状態を継続する（短い時間の停止後に再点灯しても良い）が、この際は例えば警報停止前の表示に比べて駆動電流を小さくし、暗点灯（第３の表示）としても良いし、点滅状態（第２の表示）に移行しても良く、このときの点滅表示は連動先における警報中の点滅表示（第２の表示）と同じであっても良い。
【００３５】
また連動元として警報停止後はそれよりも周期の長い点滅（デューティー比の小さい駆動条件での点滅：第３の表示）に移行するようにしても、警報停止操作後の電力消費を抑制することが出来る。そして、連動先の住警器１０−２〜１０−５で行っている連動先を示す警報音とＬＥＤ２２の点滅による表示は全て停止するようにしている。
【００３６】
一方、連動先の住警器１０−２〜１０−５のうち任意の住警器に設けられている警報停止スイッチ２０を操作すると、図４に示すように、連動先の住警器１０−２〜１０−５の警報音を全て停止するが、連動元の住警器１０−１については引き続き警報音出力と何らかの表示を所定期間行う。
【００３７】
この場合、連動先の住警器１０−２〜１０−５の表示は、停止せずに点滅（第２の表示）を継続する（短い時間の停止後に再点滅しても良い）か、警報停止前と異なる駆動方法（第４の表示）で行う。
【００３８】
なお、どの住警器であっても、連動元の表示（履歴表示）が停止されるまでの期間に相当する間は連動元の警報音を若干出力するようにしても良い。即ち、警報停止後、連動元の住警器は、履歴表示を行いつつ、警報時よりも低音量および／または長周期で間欠的な音響出力を行うようにすることも出来る。
【００３９】
ここで第１〜第４の表示例を整理すると次のようになる。
第１の表示：点灯
第２の表示：点滅
第３の表示：暗点灯／デューティ−比の小さい点滅
第４の表示：第３の表示と異なる、デューティ−比の小さい点滅
こうして第１の表示、第２の表示、第３の表示、第４の表示の組み合わせによって、連動元として作動したか、連動先として作動したかの履歴を警報停止後であっても知ることが出来る。
【００４０】
このように、連動警報中に連動元の警報停止スイッチが操作されたときは、連動元の警報音、連動先の警報音、連動先の表示を停止し、連動元について何らかの表示を少なくとも所定期間行う。一方、連動警報中に任意の連動先の警報停止スイッチが操作されたときは、全ての連動先の警報音を停止し、連動元の少なくとも警報音を維持し、連動先について少なくとも所定期間、何らかの表示を行う。
【００４１】
これにより連動先においては引き続き他の警報器（連動元）が警報中であることが判るので、警報停止操作した連動先警報器の設置場所が連動元からの警報音が聞こえない場所であっても、当該連動先の警報停止操作によって連動先の警報音が停止することで、非火災報や誤報であったと誤認することが無く、安全性を確保できる。
【００４２】
また、警報停止操作完了後においても、少なくとも所定の期間は連動元と連動先で異なる履歴表示が行われる（連動元は履歴表示しない場合もある）ので、消火後の火元の特定や、誤報または非火災報を発した住警器の特定が簡単且つ確実にできる。連動先で警報停止操作が行われると他の連動先の警報音は停止するが、連動元の警報音は停止されないので、音を頼りに連動元を見つけることも出来る。従ってこの場合、連動元については表示はを停止しても良い。
【００４３】
警報停止後に継続している連動元の住警器１０−１のＬＥＤ２２による表示は、タイマ設定で決まる所定時間経過時、又は再度警報停止操作を行ったときに停止する。
【００４４】
図５（Ａ）は本実施形態における警報処理を、警報停止前、連動元警報停止操作後、及び連動先警報停止操作後に分けてまとめて示している。また図５（Ｂ）は本実施形態における表示処理を、警報停止前、連動元警報停止操作後、及び連動先警報停止操作後に分けてまとめて示している。
【００４５】
図６は図２の警報システムに設けた住警器の実施形態を示したブロック図である。図６は図２に示した５台の住警器１０−１〜１０−５につき、その内の住警器１０−１について回路構成を詳細に示している。その他の住警器１０−２〜１０−５についても同様の構成となる。
【００４６】
住警器１０−１と他の住警器１０−２〜１０−５を結ぶ矢印はそれぞれが相互に通信することを示しているが、たとえば住警器１０−２と住警器１０−３なども相互に通信させるようにしている。もちろん、住警器１０−１をシステムの親機として、図６の矢印の経路でのみ通信するようにしたシステムでも、本発明を適用することが出来る。
【００４７】
住警器１０−１はワンチップＣＰＵとして知られたプロセッサ２８を備え、プロセッサ２８に対してはアンテナ３１を備えた無線通信部３０、記録回路部（メモリ）３２、センサ部３４、報知部３６、操作部３８及び電池電源４０を設けている。
【００４８】
無線通信部３０には送信回路４２と受信回路４４が設けられ、他の住警器１０−２〜１０−５との間でイベント信号を無線により送受信できるようにしている。無線通信部３０としては、日本国内の場合には、例えば４００ＭＨｚ帯の特定小電力無線局の標準規格として知られたＳＴＤ−３０（小電力セキュリティシステム無線局の無線設備標準規格）またはＳＴＤ−Ｔ６７（特定小電力無線局テレメータ用、テレコントロール用及びデータ伝送用無線設備の標準規格）に準拠した構成を備える。
【００４９】
もちろん無線通信部３０としては、日本国内以外の場所については、その地域の割当無線局の標準規格に準拠した内容を持つことになる。
【００５０】
記憶部としてのメモリ２２には、イベント信号の順番を示す連続番号である連番４８、住警器を特定するＩＤ（識別子）となる送信元符号５０及び図２のように住宅の設置した住警器１０−１〜１０−５で連動警報を行う連動グループを構成するためのグループ符号５２が格納されている。
【００５１】
連番５８は警報器間の通信に於いてイベント信号の中継処理を管理するためのものであるが、本実施形態に直接関係しないので詳細な説明を省略する。
【００５２】
送信元符号５０としては、国内に提供される住警器の数を予測し、例えば同一符号として重複しないように２６ビットの符号コードが使用される。
【００５３】
グループ符号５２は連動グループを構成する複数の住警器に共通に設定される符号であり、無線通信部３０で受信した他の住警器からのイベント信号に含まれるグループ符号がメモリ３２に登録しているグループ符号５２に一致したときに、このイベント信号を有効な信号として受信して処理することになるので、近隣の住宅等に設置された、連動を要しない他グループの警報器との混信を回避出来る。
【００５４】
センサ部３４には検煙部１６以外に、火災による温度を検出するサーミスタ等の温度検出素子や、火災に伴うその他の物理現象変化を検出する各種素子を設けてもよい。
【００５５】
報知部３６には警報音を出力するスピーカ５８と表示を行うＬＥＤ２２が設けられている。スピーカ５８は、図示しない音声合成回路部からの音声メッセージや警報音を出力する。ＬＥＤ２２は点滅や明滅、点灯などにより、火災などの異常を表示する。スピーカ４８に代えて、ブザー等を用いても良い。
【００５６】
操作部３８には警報停止スイッチ２０が設けられている。警報停止スイッチ２０は、報知部３６からスピーカ４８により警報音又はＬＥＤ２２により表示を行っているときにのみ有効となる。一方、連動元または連動先を示す警報を行っていない通常監視状態で警報停止スイッチ２０は点検スイッチとして機能し、この状態で点検スイッチを押すと、所定の点検動作が実行されて報知部３６から点検結果を示す音声メッセージなどが出力される。
【００５７】
電池電源４０は、例えば所定セル数のリチウム電池やアルカリ乾電池を使用しており、電池容量としては住警器１０−１における無線通信部３０を含む回路部全体の低消費電力化により、例えば１０年の電池寿命を保証している。
【００５８】
プロセッサ２８にはプログラムの実行により実現される機能として、イベント検出部６０、送信処理部６２、受信処理部６４、警報処理部６６及び警報停止部６８が設けられている。
【００５９】
イベント検出部６０は、センサ部３４による異常検出、操作部２８による警報停止、センサ部３４の異常検出がなくなる異常復旧を含むイベントを検出する。
【００６０】
送信処理部６２は、イベント検出部６０でセンサ部３４による異常検出、操作部３８による警報停止、センサ部３４の異常検出がなくなる異常復旧を含む自己のイベントを検出したときに、検出イベントを示すイベント信号を連動先の住警器に送信させる。受信処理部６４は、受信回路４４で受信した住警器１０−２〜１０−５からのイベント信号について有効／無効の判定および解読を行う。
【００６１】
警報処理部６６は、イベント検出部６０で自己の異常として火災を検出したときにスピーカ５８から連動元を示す警報音を出力すると共に、ＬＥＤ２２を駆動して連動元を示す表示を行い、更に、火災を示すイベント信号を他の住警器に送信する。
【００６２】
具体的に説明すると、警報処理部６６は、センサ部３４からの煙検出信号からイベント検出部６０で火災を検出したときに、報知部３６のスピーカ５８から連動元を示す警報音例えば「ウーウー  火災警報器が作動しました  確認してください」を繰り返し出力させると共に、ＬＥＤ２２を点灯して連動元を示す表示を行い、更に、火災を示すイベント信号を無線通信部３０の送信回路４２によりアンテナ３１から他の住警器１０−２〜１０−５に向けて送信させる。
【００６３】
また警報処理部６２は、他の住警器１０−２〜１０−５のいずれかから火災を示すイベント信号を無線通信部３０の受信回路４４により受信し、受信処理部６４で有効となったときに、報知部３６のスピーカ５８から連動先を示す警報音例えば「ウーウー  別の火災警報器が作動しました  確認してください」となる警報音を繰り返し出力させ、同時にＬＥＤ２２を点滅して連動先を示す表示を行う。
【００６４】
警報停止部６８は次の（１）〜（５）の処理を行う。
【００６５】
（１）連動元を示す火災警報の出力中に、操作部３８に設けた警報停止スイッチ２０の警報停止操作を検出した場合、連動元を示すスピーカ５８からの警報音例えば「ウーウー  火災警報器が作動しました  確認してください」を停止すると共にＬＥＤ２２の点灯による表示を継続させ、更に、送信処理部６２、送信回路４２を介して他の住警器１０−２〜１０−５に警報停止を示すイベント信号を送信する。
【００６６】
（２）連動元を示す異常警報の出力中に、他の住警器１０−２〜１０−５から警報停止を示すイベント信号受信を検出した場合、連動元を示す警報音を継続すると共に点灯していたＬＥＤ２２を消灯する。この後、連動元（自身）の警報停止スイッチが操作されたら、連動元を示す警報音を停止すると共に、ＬＥＤ２２を点灯する。暗点灯や点滅、明滅であっても良い。そして、送信処理部６２、送信回路４２を介して他の住警器１０−２〜１０−５に警報停止を示すイベント信号を送信する。
【００６７】
（３）連動先を示す異常警報の出力中に、操作部３８に設けた警報停止スイッチ２０の
警報停止操作を検出した場合、連動先を示すスピーカ５８からの警報音を停止すると共に、点滅していたＬＥＤ２２を例えば引き続き点滅し、送信処理部６２、送信回路４２を介して他の警報器に警報停止信号を送信する。
【００６８】
（４）連動先を示す異常警報の出力中に、警報停止を示す連動元からのイベント信号の受信を検出した場合、連動先を示すスピーカ５８からの警報音例えば「ウーウー  別の火災警報器が作動しました  確認してください」を停止すると共に点滅していたＬＥＤ２２を消灯する。なお、自身が連動先として警報処理中に他の警報器からイベント信号を受信すると、連動元からの受信と判断するようにすることが出来るが、後に説明する方法によって識別することも出来る。
【００６９】
（５）連動先を示す異常警報の出力中に、警報停止を示す連動先からのイベント信号の受信を検出した場合、連動先を示すスピーカ５８からの警報音を停止すると共に点滅していたＬＥＤ２２の表示を継続する。
【００７０】
（６）連動先として警報停止操作後の表示を継続しているときに、連動先からの警報停止を示すイベント信号の受信を検出した場合、継続している動作を引き続き継続する。なお、連動元からの信号か連動先からの信号かを判別する手段を備えない場合には、連動先を示すスピーカ５８からの警報音を停止すると共に点滅していたＬＥＤ２２の表示を停止するようにする。
【００７１】
（７）連動先として警報停止操作後の表示を継続しているときに、自己の警報停止スイッチ２０が操作されたら、ＬＥＤ２２の表示を継続する（停止しても良い）とともに、送信処理部６２、送信回路４２を介して他の警報器に警報停止信号を送信する。なお、連動元からの信号か連動先からの信号かを判別する手段を備えない場合には、他の警報器への、警報停止を示すイベント信号の送信は行わない。
【００７２】
（８）連動元として警報停止操作後の表示を継続しているときに、自己の警報停止スイッチ２０が操作されたら、ＬＥＤ２２の表示を停止する。そして、送信処理部６２、送信回路４２を介して他の警報器に対して警報停止を示すイベント信号を送信する。
【００７３】
図７は本実施形態で使用するイベント信号のフォーマットを示した説明図である。図７において、イベント信号４６は連番４８、送信元符号５０、グループ符号５２及びイベント符号５４で構成されている。
【００７４】
連番４８はイベント信号の順番を示す連続番号であり、イベント信号を送信する毎に１つずつ増加させる。また、連番４８は住警器１０−１〜１０−５の各々で非同期に生成している。連番４８は警報器間の通信に於いてイベント信号の中継処理を管理するためのものであるが、本実施形態に直接関係しないので詳細な説明を省略する。
【００７５】
送信元符号５０は例えば２６ビットの符号である。グループ符号５２は例えば８ビットの符号であり、同一グループを構成する例えば図１の住警器１０−１〜１０−５につき同じグループ符号が設定されている。
【００７６】
なおグループ符号５２としては、同一グループの住警器に同一のグループ符号を設定する以外に、予め定めたグループを構成する住警器に共通な基準符号と、各住警器に固有な送信元符号との演算から求めた住警器ごとに異なるグループ符号であってもよい。
【００７７】
イベント符号５４は、火災、ガス漏れなどのイベント内容を表す符号であり、本実施形態にあっては３ビット符号を使用しており、例えば「００１」で火災、「０１０」でガス漏れ、「０１１」で盗難、「１００」で警報停止、「１０１」で復旧、残りをリザーブとしている。なおイベント符号４２のビット数は、イベントの種類が増加したときには更に４ビット、５ビットと増加させることで、より多くのイベント内容を表すことができる。
【００７８】
また本実施形態にあっては、連動先の住警器で警報停止を示すイベント信号を受信した場合に、送信元が連動元か連動先かを判別する必要があるが、これは火災を示すイベント信号を受信したときに送信元符号５０をメモリ３２に記憶しておき、その後、警報停止を示すイベント信号を受信したときに、受信した送信元符号とメモリ３２に記憶している送信元符号とを比較し、一致すれば送信元は連動元と判別し、不一致であれば送信元は連動先と判別できる。この他にも、イベント信号に連動元からの信号か連動先からの信号かを識別する符号を設けて、イベント信号を受信した際にこの符号判定を行うようにしてもよい。以下では、全前者の方法を例にとって説明する。
【００７９】
図８は図４の住警器１０−１における火災監視処理の一例を示したフローチャートであり、プロセッサ２８のプログラムの実行による処理となる。
【００８０】
図８において、火災監視処理は、ステップＳ１で火災発生を監視しており、センサ部３４から出力された煙検出信号が所定の火災レベルを超えると火災を判別してステップＳ２に進み、連番、送信元符号、グループ符号、火災を示すイベント符号を含むイベント信号を他の住警器に無線により送信した後、ステップＳ３でスピーカ５８からの警報音とＬＥＤ２２の点灯による表示により連動元を示す火災警報を出力する。
【００８１】
続いて、ステップＳ４でセンサ部３４からの煙検出信号が低下して火災がなくなる火災復旧の有無を判別しており、火災が継続している場合はステップＳ５で警報停止スイッチ２０による警報停止操作の有無を判別し、警報停止操作が無ければステップＳ６で他の住警器からの警報停止のイベント信号の受信の有無を判別する処理を繰り返している。なお、火災の継続中にあっては、所定時間毎に火災発報を示すイベント信号の送信を繰り返している。
【００８２】
ステップＳ４〜Ｓ６の処理サイクル中に、センサ部３４からの煙検出信号が低下し火災がなくなるとステップＳ４で火災復旧が判別され、ステップＳ８で連番、送信元符号、グループ符号、火災復旧を示すイベント符号を含むイベント信号を他の住警器に送信し、ステップＳ１２に進んで連動元を示す警報音と表示を停止し、この場合は通常の監視状態に戻る。ステップＳ４で火災復旧が判別されたときには、Ｓ１１に進んで所定時間経過を判別した後にＳ１２に進むようにしても良い。
【００８３】
またステップＳ５で警報停止スイッチ２０による自己の警報停止操作を判別するとステップＳ９に進んで連番、送信元符号、グループ符号、警報停止を示すイベント符号を含むイベント信号を他の住警器に送信し、ステップＳ１０に進んで連動元を示すスピーカ５８からの警報音を停止しもＬＥＤ２２の点灯による表示をそのまま継続する。そのまま点灯を継続するのではなく、暗点灯や点滅、明滅に切り替えても良い。
【００８４】
またステップＳ６で他の住警器から警報停止イベント信号の受信を判別すると、ステップＳ７に進んで連動元を示すスピーカ５８からの警報音は継続し、ＬＥＤ２２の点灯による表示を継続する。そのまま点灯を継続するのではなく、暗点灯や点滅、明滅に切り替えても良いし、この場合は停止しても良い。
【００８５】
ステップＳ７で警報音を継続して表示を停止継続した後、又はステップＳ１０で警報音を停止して表示を継続した後、この実施形態にあっては、ステップＳ１１で所定時間の経過を判別したときにステップＳ１２に進んで連動元を示す警報音と表示を停止する。
【００８６】
なお、ステップＳ１１で警報停止操作または警報停止を示すイベント信号受信から所定時間経過を判別している間に、再度警報停止スイッチ２０による警報停止操作を検出した場合には、連動元を示す警報音と表示を停止しても良い。また、連動元を示す警報音は停止するが、表示を継続し、所定時間経過を判別したときに停止させても良い。
【００８７】
一方、ステップＳ１で火災でなかった場合には、ステップＳ１３で他の住警器からのイベント信号受信の有無を判別している。他の住警器からの火災を示すイベント信号受信を判別すると、ステップＳ１４に進んで連動先を示す火災警報としてスピーカ５８からの警報音とＬＥＤ２２の点滅による表示を行う。
【００８８】
次にステップＳ１５で他の住警器からの火災復旧を示すイベント信号受信の有無を判別しており、火災復旧を示すイベント信号を受信すると、ステップＳ１６に進んで連動先の警報として行っているスピーカ５８からの警報音とＬＥＤ２２の点滅による表示を停止する。
【００８９】
ステップＳ１５で火災復旧を示すイベント信号受信がない場合には、ステップＳ１７で他の住警器からの警報停止を示すイベント信号の受信の有無をチェックしており、警報停止を示すイベント信号の受信を判別すると、ステップＳ１８に進んで送信元が連動元か否か判別する。ステップＳ１８で送信元が連動元であることを判別するとステップＳ１９に進み、連動先を示すスピーカ５８からの警報音とＬＥＤ２２の点滅による表示を停止する。これに対しステップＳ１８で送信元が連動先であることを判別した場合はステップＳ２２に進み、この場合には連動先を示すスピーカ５８からの警報音を停止し、ＬＥＤ２２の点滅による表示は継続する。そのまま点滅を継続するのではなく、点灯や暗点灯、周期の異なる点滅、明滅に切り替えても良いし、この場合は停止しても良い。
【００９０】
ステップＳ１７で警報停止を示すイベント信号受信がない場合には、ステップＳ２０で警報停止スイッチ２０による警報停止操作の有無を判別しており、警報停止操作を判別すると、
ステップＳ２１で連番、送信元符号、グループ符号、警報停止を示すイベント符号を含むイベント信号を他の住警器に送信した後、ステップＳ２２に進んで連動先を示すスピーカ５８からの警報音を停止し、ＬＥＤ２２の点滅による表示は継続とする。そのまま点滅を継続するのではなく、点灯や暗点灯、周期の異なる点滅、明滅に切り替えても良いし、この場合は停止しても良い。
【００９１】
図９は連動元の表示色と連動先の表示色を異ならせた本発明による無線式の住警器の他の実施形態を示した説明図である。
【００９２】
図９において、住警器１０はカバー１２とその背後に設けた本体で構成され、カバー１２の中央には、周囲に煙流入口を開口し、その内部には検煙部１６が配置され、検煙部１６の左下側には音響穴１８が設けられ、検煙部１６の下側には警報停止スイッチ２０が設けられている。
【００９３】
警報停止スイッチ２０は、半透明部材で形成されたスイッチカバーの内部にタクトスイッチ（図示せず）を配置しており、スイッチカバー内部のタクトスイッチ近傍には、点線で示すように、連動元の表示を行う赤色ＬＥＤ２２ａと、連動先の表示を行う黄色ＬＥＤ２２ｂが配置されており、赤色ＬＥＤ２２ａまたは黄色ＬＥＤ２２ｂが点灯すると、警報停止スイッチ２０のスイッチカバーの部分を透過して点灯状態が外部から分かるようにしている。それ以外の構成は図１の実施形態と同じである。
【００９４】
図１０（Ａ）は連動関係にある図９の実施形態の住警器１０−１〜１０−５の中の住警器１０−１が火災を検出し、住警器１０−１が警報音と赤色ＬＥＤ２２ａを点灯（第１の表示）する表示により連動元を示す火災警報を行い、残りの住警器１０−２〜１０−５が警報音と黄色ＬＥＤ２２ｂを点灯する表示（第２の表示）により連動先を示す火災警報を行っている。
【００９５】
この連動警報の状態で、連動元の住警器１０−１に設けている警報停止スイッチ２０を操作すると、図１０（Ｂ）に示すように、連動元の住警器１０−１で行っている警報音を停止するが、赤色ＬＥＤ２２ａの点灯（第１の表示）による表示は所定期間継続する。また連動先の住警器１０−２〜１０−５で行っている警報音と黄色ＬＥＤ２２ｂの点灯による表示は停止する。
【００９６】
このように、連動元では赤色ＬＥＤ２２ａの点灯状態を継続する（短い時間の停止後に再点灯しても良い）が、この際は例えば警報停止前の表示に比べて駆動電流を小さくし、暗点灯としても良いし、点滅状態に移行しても良い。
【００９７】
また連動元として警報停止後はそれよりも周期の長い点滅（デューティー比の小さい駆動条件での点滅）に移行するようにしても、警報停止操作後の電力消費を抑制することが出来る。そして、連動先の住警器１０−２〜１０−５で行っている連動先を示す警報音と黄色ＬＥＤ２２ａの点灯による表示は全て停止するようにしている。
【００９８】
一方、連動先の住警器１０−２〜１０−５のうち任意の住警器に設けられている警報停止スイッチ２０を操作すると、図１１に示すように、連動先の住警器１０−２〜１０−５の警報音を全て停止するが、連動元の住警器１０−１については引き続き警報音出力と赤色ＬＥＤ２２ｂの点灯、点滅又は明滅といった何らかの表示を所定期間行う。
【００９９】
この場合、連動先の住警器１０−２〜１０−５の黄色ＬＥＤ２２ｂによる表示は、停止せずに点灯を継続する（短い時間の停止後に再点滅しても良い）か、警報停止前と異なる点滅又は明滅といった駆動方法で行う。
【０１００】
なお、どの住警器であっても、連動元の赤色ＬＥＤ２２ａによる表示（履歴表示）が停止されるまでの期間に相当する間は連動元の警報音を若干出力するようにしても良い。即ち、警報停止後、連動元の住警器は、赤色ＬＥＤ２２ａによる履歴表示を行いつつ、警報時よりも低音量および／または長周期で間欠的な音響出力を行うようにすることも出来る。
【０１０１】
このように、連動警報中に連動元の警報停止スイッチが操作されたときは、連動元の警報音、連動先の警報音、連動先の黄色ＬＥＤ２２ｂによる表示を停止し、連動元については赤色ＬＥＤにより何らかの表示を少なくとも所定期間行う。一方、連動警報中に任意の連動先の警報停止スイッチが操作されたときは、全ての連動先の警報音を停止し、連動元の少なくとも警報音を維持し、連動先について少なくとも所定期間、赤色ＬＥＤ２２ａにより何らかの表示を行う。
【０１０２】
これにより連動先においては引き続き他の警報器（連動元）が警報中であることが判るので、警報停止操作した連動先警報器の設置場所が連動元からの警報音が聞こえない場所であっても、当該連動先の警報停止操作によって連動先の警報音が停止することで、非火災報や誤報であったと誤認することが無く、安全性を確保できる。
【０１０３】
また、警報停止操作完了後においても、少なくとも所定の期間は連動元と連動先で表示色の異なる履歴表示が行われる（連動元は履歴表示しない場合もある）ので、消火後の火元の特定や、誤報または非火災報を発した住警器の特定が簡単且つ確実にできる。連動先で警報停止操作が行われると他の連動先の警報音は停止するが、連動元の警報音は停止されないので、音を頼りに連動元を見つけることも出来る。従ってこの場合、連動元については赤色ＬＥＤによる表示を停止しても良い。
【０１０４】
警報停止後に継続している連動元の住警器１０−１の赤色ＬＥＤ２２ａによる表示は、タイマ設定で決まる所定時間経過時、又は再度警報停止操作を行ったときに停止する。
【０１０５】
なお上記の実施形態は火災を検出して警報する住警器を例にとるものであったが、ガス漏れ警報器、ＣＯ警報器、各種の防犯用警報器を配置した警報システムについても同様に適用できる。
【０１０６】
また上記の実施形態におけるフローチャートは処理の概略例を説明したもので、処理の順番等はこれに限定されない。また各処理や処理と処理の間に必要に応じて遅延時間を設けたり、他の判定を挿入する等が出来る。
【０１０７】
また上記の実施形態で述べた「受信がある」、「受信が無い」、「受信した場合」、「受信を判別」等は、受信した信号が有効なものとして認識されたか否かの判定も含んでいる。
【０１０８】
また、連動元と連動先を識別する表示、警報停止前後を識別する表示は１つのＬＥＤで共用としたが、必要に応じ複数の表示部を設け、振り分けて表示しても良い。
【０１０９】
即ち、システムに於いては警報中に連動元と連動先が表示によって識別出来れば良く、各警報器に於いては警報停止操作後、少なくとも所定期間は何らかの表示を行えば良い。そのとき、連動元にあっては、警報停止操作後は所定期間の経過を待たずに表示を停止しても良い。
【０１１０】
また、上記の実施形態では、連動元を赤色表示とし、連動先を黄色表示としているが、任意の異なる表示色により連動元と連動先を表示しても良い。またＬＥＤ２２ａ、２２ｂは多色ＬＥＤで共用としても良い。
【０１１１】
また、図１のように単一のＬＥＤ２２を設けた場合、同じ色の表示であるが、色の明るさを変えて連動元と連動先を表示するようにしても良い。
【０１１２】
また、上記の実施形態は住宅用に限らずビルやオフィス用など各種用途の警報器にも適用できる。
【０１１３】
また、警報器の規格上、上記の実施形態に示した表示を「警報」と認めない場合があるが、ここで言う「表示」は、警報に伴う表示全般を指す。
【０１１４】
また、上記の実施形態は警報器にセンサ部と警報出力処理部を一体に設けた場合を例にとるが、他の実施形態として、センサ部と警報出力処理部を別体とした警報器であっても良い。
【０１１５】
また本発明は上記の実施形態に限定されず、その目的と利点を損なうことのない適宜の変形を含み、更に上記の実施形態に示した数値による限定は受けない。
【符号の説明】
【０１１６】
１０，１０−１〜１０−５：住警器
１２：カバー
１４：本体
１５：取付フック
１６：検煙部
１８：音響孔
２０：警報停止スイッチ
２２：ＬＥＤ
２２ａ：赤色ＬＥＤ
２２ｂ：黄色ＬＥＤ
２４：住宅
２６：ガレージ
２８：ＣＰＵ
３１：アンテナ
３０：無線通信部
３２：メモリ
３４：センサ部
３６：報知部
３８：操作部
４０：電池電源
４２：送信回路
４４：受信回路
４６：イベント信号
４８：連番
５０：送信元符号
５２：グループ符号
５４：イベント符号
５８：スピーカ
６０：イベント検出部
６２：送信処理部
６４：受信処理部
６６：警報処理部
６８：警報停止部
【図１】
0005507930.tif 000002
【図２】
0005507930.tif 000003
【図３】
0005507930.tif 000004
【図４】
0005507930.tif 000005
【図５】
0005507930.tif 000006
【図６】
0005507930.tif 000007
【図７】
0005507930.tif 000008
【図８】
0005507930.tif 000009
【図９】
0005507930.tif 000010
【図１０】
0005507930.tif 000011
【図１１】
0005507930.tif 000012